(57)【要約】【課題】  簡便な手段により、地絡故障が発生した回線の特定を正確かつ確実に行う。【解決手段】  直流電源１を有する主回路２とその主回路２から分岐した複数の回線ＡMとを備え、それら回線ＡMのいずれかに発生した地絡故障を検出する継電器３を前記主回路２に設けた直流制御電源回路について、その地絡故障が発生した回線ＡMを特定する装置であって、前記回線ＡMの正極側電路ＳPMまたは負極側電路ＳNMに介挿されて、所定の電圧を降下させる手段としてダイオードＤ1〜Ｄ8を有する。【選択図】      図１
2006060893.tif 000002
【特許請求の範囲】
【請求項１】
直流電源を有する主回路とその主回路から分岐した複数の回線とを備え、それら回線のいずれかに発生した地絡故障を検出する継電器を前記主回路に設けた直流制御電源回路について、その地絡故障が発生した回線を特定する装置であって、前記回線の正極側電路または負極側電路に接続される電圧変動手段を具備したことを特徴とする直流地絡回線の判別装置。
【請求項２】
前記電圧変動手段に対してさらにスイッチング手段を並列に接続した請求項１に記載の直流地絡回線の判別装置。
【請求項３】
前記電圧変動手段は、前記主回路における直流電源に対して逆方向接続の定電圧源である請求項１又は２に記載の直流地絡回線の判別装置。
【請求項４】
前記定電圧源をダイオードで構成し、前記直流電源に対して順方向に挿入した請求項３に記載の直流地絡回線の判別装置。
【請求項５】
前記電圧変動手段は、抵抗である請求項１又は２に記載の直流地絡回線の判別装置。
【請求項６】
直流電源を有する主回路とその主回路から分岐した複数の回線とを備え、それら回線のいずれかに発生した地絡故障を検出する継電器を前記主回路に設けた直流制御電源回路について、その地絡故障が発生した回線を特定する方法であって、前記回線の正極側電路または負極側電路の電圧を変動させることを特徴とする直流地絡回線の判別方法。
【請求項７】
前記正極側電路または負極側電路の電圧を降下させる請求項６に記載の直流地絡回線の判別方法。
【発明の詳細な説明】
【技術分野】
【０００１】
本発明は、例えば発変電所や工場の制御電源、通信用電源などを有する直流制御電源回路について、主回路から分岐した複数の回線に地絡故障が発生した時、その地絡故障の回線を特定する直流地絡回線の判別装置及び判別方法に関する。
【背景技術】
【０００２】
図５は、例えば発変電所、工場の制御電源や通信電源などを有する直流制御電源回路の一例を示す。
【０００３】
この直流制御電源回路は、制御用の直流電源１を有する主回路２と、その主回路２から分岐した複数の回線ＡM（Ｍ＝１，２，３，…）を備え、それぞれの回線ＡMには継電器などの負荷ＬM（Ｍ＝１，２，３，…）が、開閉器ＣＢM（Ｍ＝１，２，３，…）を介して接続されている。
【０００４】
従来、前述した直流制御電源回路において、複数の回線ＡMのいずれかに地絡故障が発生したことを検出する目的から、直流地絡を検出するための保護用継電器３を設置している。
【０００５】
この継電器３は、正極側に接続された抵抗ＲPと、負極側に接続された抵抗ＲNと、接地側に接続された抵抗ＲEとを有し、いずれの回線ＡMにも地絡故障が発生していない正常時（電路と接地間の絶縁状態がよい場合）には、通常、抵抗ＲPと抵抗ＲNが等しい値に設定されていることから、図６に示すように正極側の対地間電圧ＶPEと負極側の対地間電圧ＶNEがほぼ等しくなる。一方、複数の回線ＡMのいずれかに地絡故障が発生した場合、ほぼ等しかった正極側の対地間電圧ＶPEと負極側の対地間電圧ＶNEが変化する。以下、対地間電圧ＶPE，ＶNEについては絶対値で表す。
【０００６】
つまり、図７に示すようにその地絡故障ａが正極側電路ＳPであれば、正極側の対地間電圧ＶPEが小さくなり、負極側の対地間電圧ＶNEが大きくなる。また、図８に示すように地絡故障ａが負極側電路ＳNであれば、負極側の対地間電圧ＶNEが小さくなり、正極側の対地間電圧ＶPEが大きくなる。なお、図示では、地絡故障ａが発生している電路を正極側電路ＳPまたは負極側電路ＳNとして表示しているのは、いずれかの回線ＡMの正極側電路ＳPMまたは負極側電路ＳNMを意味する。
【０００７】
このことから、正極側の対地間電圧ＶPEと負極側の対地間電圧ＶNEがほぼ等しければ、地絡故障が発生していないことになり、また、正極側の対地間電圧ＶPEが小さくなって負極側の対地間電圧ＶNEが大きければ、正極側電路ＳPに地絡故障が発生したことを検出でき、逆に、負極側の対地間電圧ＶNEが小さくなって正極側の対地間電圧ＶPEが大きければ、負極側電路ＳNに地絡故障が発生したことを検出できる。
【０００８】
このようにして、正極側の対地間電圧ＶPEあるいは負極側の対地間電圧ＶNEを継電器３の電圧測定機能により検出することにより、いずれかの回線ＡMに地絡故障が発生したこと、および、その地絡故障が正極側電路ＳPあるいは負極側電路ＳNのいずれであるかをブザーによる報知音またはランプの点灯などで警報するようにしている。
【０００９】
なお、継電器３では、前述の電圧測定機能以外に、接地側に接続された抵抗ＲEに流れる電流の有無によりいずれかの回線ＡMに地絡故障が発生したことを検出することもでき、また、抵抗ＲEに流れる電流の向きによりその地絡故障が正極側電路ＳPあるいは負極側電路ＳNのいずれであるかを検出することもできる。
【発明の開示】
【発明が解決しようとする課題】
【００１０】
ところで、前述した直流制御電源回路では、複数の回線ＡMのいずれかに地絡故障が発生したか否か、およびその地絡故障発生が正極側電路ＳPあるいは負極側電路ＳNのいずれであるかは、正極側の対地間電圧ＶPEあるいは負極側の対地間電圧ＶNEの変化に基づいて検出することが可能であるが、いずれの回線ＡMに地絡故障が発生したかを特定することはできない。
【００１１】
地絡故障が発生した回線を特定する方法としては、対地端子から交流電流を流すことにより、地絡故障が発生した回線のみにその交流電流が流れることから、交流クランプメータにより各回線ごとにその交流電流の有無を検出することでもって、地絡故障が発生した回線を特定することができる。
【００１２】
しかしながら、前述した判別方法では、交流電流を使用しているため、対地静電容量や回線の負荷機器に付加されている対地へのコンデンサにその交流電流が流れ、地絡故障が発生した回線を誤認したり、交流電流の減衰によりその交流電流を検出することが困難であったりする場合があった。
【００１３】
そこで、本発明は前述の問題点に鑑みて提案されたもので、その目的とするところは、簡便な手段により、地絡故障が発生した回線の特定を正確かつ確実に行い得る直流地絡回線の判別装置及び判別方法を提供することにある。
【課題を解決するための手段】
【００１４】
前述の目的を達成するための技術的手段として、本発明に係る直流地絡回線の判別装置は、直流電源を有する主回路とその主回路から分岐した複数の回線とを備え、それら回線のいずれかに発生した地絡故障を検出する継電器を前記主回路に設けた直流制御電源回路について、その地絡故障が発生した回線を特定する装置であって、前記回線の正極側電路または負極側電路に接続される電圧変動手段を具備したことを特徴とする。
【００１５】
なお、電圧変動手段に対してさらにスイッチング手段を並列に接続した構成が可能である。また、電圧変動手段としては、主回路における直流電源に対して逆方向接続の定電圧源が可能であり、その定電圧源は、直流電源に対して順方向に挿入されたダイオードで構成することが可能である。他の電圧変動手段としては、抵抗を使用することも可能である。さらに、他の電圧変動手段としては、電圧を降下させる以外に、電圧を上昇させる手段も含まれる。
【００１６】
また、本発明に係る直流地絡回線の判別方法は、直流電源を有する主回路とその主回路から分岐した複数の回線とを備え、それら回線のいずれかに発生した地絡故障を検出する継電器を前記主回路に設けた直流制御電源回路について、その地絡故障が発生した回線を特定する方法であって、前記回線の正極側電路または負極側電路の電圧を変動させることを特徴とする。なお、ここでいう電圧変動には、電圧を降下させる以外に、電圧を上昇させることも含まれる。
【００１７】
直流制御電源回路では、前述したようにいずれの回線にも地絡故障が発生していない正常時には、正極側の対地間電圧と負極側の対地間電圧がほぼ等しくなる。一方、複数の回線のいずれかに地絡故障が発生した場合、正常時には、ほぼ等しかった正極側の対地間電圧と負極側の対地間電圧との関係が変化する。つまり、その地絡故障が正極側電路であれば、正極側の対地間電圧が小さくなり、健全な負極側電路については負極側の対地間電圧が大きくなる。また、地絡故障が負極側電路であれば、負極側の対地間電圧が小さくなり、健全な正極側電路については正極側の対地間電圧が大きくなる。
【００１８】
この時、地絡極側の回線について、例えばダイオードの定電圧源や抵抗等による電圧降下手段により電圧を降下させた場合、地絡故障が発生した回線では、主回路の地絡極側の対地間電圧が大きくなり、健全極側の対地間電圧が小さくなって、地絡極側と健全極側の両対地間電圧が、正常時の対地間電圧に近づくことになる。一方、地絡故障が発生していない健全な回線については、地絡極側または健全極側のいずれの対地間電圧も前述したような変化が生じない。従って、活線状態の回線に判別装置を接続し、地絡極側あるいは健全極側の対地間電圧を監視することにより、地絡故障が発生した回線を特定することができる。
【００１９】
なお、地絡極側の回線について、電圧上昇手段により電圧を上昇させた場合、地絡故障が発生した回線では、地絡極側の対地間電圧がより一層小さくなり、健全極側の対地間電圧がより一層大きくなって、地絡極側と健全極側の両対地間電圧のバランスをより一層崩すことになり、これによっても地絡故障が発生した回線を特定することができる。
【００２０】
ここで、「地絡極側」とは、いずれかの回線の正極側電路に地絡故障が発生した場合、その地絡故障が発生した回線と地絡故障が発生していない他の健全な回線の両方における正極側を意味し、「健全極側」とは、地絡故障が発生した回線と地絡故障が発生していない他の健全な回線の両方における負極側を意味する。
【００２１】
このように本発明では、交流電流を使用しないことから、対地静電容量や回線の負荷機器に付加されている対地へのコンデンサにその交流電流が流れることにより地絡故障が発生した回線を誤認したり、交流電流の減衰によりその交流電流を検出することが困難になるようなことがなく、地絡故障が発生した回線を正確かつ確実に特定できる。
【発明の効果】
【００２２】
本発明によれば、地絡極側の電路で電圧を変動、例えば電圧降下させることにより、地絡極側の対地間電圧が大きくなり、健全極側の対地間電圧が小さくなることでもって、この地絡極側あるいは健全極側の対地間電圧を監視することにより、地絡故障が発生した回線を正確かつ確実に特定することができるので、地絡回線の特定において信頼性が大幅に向上する。
【発明を実施するための最良の形態】
【００２３】
本発明に係る直流地絡回線の判別装置及び判別方法の実施形態を以下に詳述する。図１は直流制御電源回路に直流地絡回線の判別装置を接続した状態を示す回路図、図２は直流地絡回線の判別装置の回路構成例を示す回路図、図３は正極側電路に地絡故障が発生した場合の判別装置の接続例を示す説明図、図４は負極側電路に地絡故障が発生した場合の判別装置の接続例を示す説明図である。
【００２４】
図１に示す直流制御電源回路は、例えば発変電所、工場の制御電源や通信電源などを有し、制御用の直流電源１が接続された主回路２と、その主回路２から分岐した複数の回線ＡM（Ｍ＝１，２，３，…）を備え、それぞれの回線ＡMには継電器などの負荷ＬM（Ｍ＝１，２，３，…）が、開閉器ＣＢM（Ｍ＝１，２，３，…）を介して接続されている。なお、この実施形態では、回線ＡMに負荷ＬMが接続されている場合について説明するが、回線ＡMに前述のような負荷が接続されていない場合もある。
【００２５】
この直流制御電源回路において、複数の回線ＡMのいずれかに地絡故障が発生したことを検出する目的から、直流地絡を検出するための保護用継電器３を設置している。
【００２６】
この継電器３は、正極側に接続された抵抗ＲPと、負極側に接続された抵抗ＲNと、接地側に接続された抵抗ＲEとを有し、いずれの回線ＡMにも地絡故障が発生していない正常時には、通常、抵抗ＲPと抵抗ＲNが等しい値に設定されていることから、正極側の対地間電圧ＶPEと負極側の対地間電圧ＶNEがほぼ等しくなる（図６参照）。一方、複数の回線ＡMのいずれかに地絡故障が発生した場合、ほぼ等しかった正極側の対地間電圧ＶPEと負極側の対地間電圧ＶNEが変化する。
【００２７】
つまり、その地絡故障が正極側電路ＳPであれば、正極側の対地間電圧ＶPEが小さくなり、負極側の対地間電圧ＶNEが大きくなる（図７参照）。また、地絡故障が負極側電路ＳNであれば、負極側の対地間電圧ＶNEが小さくなり、正極側の対地間電圧ＶPEが大きくなる（図８参照）。なお、図示では、地絡故障ａが発生している電路を正極側電路ＳPまたは負極側電路ＳNとして表示しているのは、いずれかの回線ＡMの正極側電路ＳPMまたは負極側電路ＳNMを意味する。
【００２８】
このことから、正極側の対地間電圧ＶPEと負極側の対地間電圧ＶNEがほぼ等しければ、地絡故障が発生していないことになり、また、正極側の対地間電圧ＶPEが小さくなって負極側の対地間電圧ＶNEが大きければ、正極側電路ＳPに地絡故障が発生したことを検出でき、逆に、負極側の対地間電圧ＶNEが小さくなって正極側の対地間電圧ＶPEが大きければ、負極側電路ＳNに地絡故障が発生したことを検出できる。
【００２９】
このようにして、正極側の対地間電圧ＶPEあるいは負極側の対地間電圧ＶNEを継電器３の電圧測定機能により検出することにより、いずれかの回線ＡMに地絡故障が発生したこと、および、その地絡故障が正極側電路ＳPあるいは負極側電路ＳNのいずれであるかをブザーまたはランプ等で警報するようにしている。
【００３０】
なお、継電器３では、前述の電圧測定機能以外に、接地側に接続された抵抗ＲEに流れる電流の有無によりいずれかの回線ＡMに地絡故障が発生したことを検出することもでき、また、抵抗ＲEに流れる電流の向きによりその地絡故障が正極側電路ＳPあるいは負極側電路ＳNのいずれであるかを検出することもできる。
【００３１】
前述のようにして、正極側の対地間電圧ＶPEあるいは負極側の対地間電圧ＶNEの変化に基づいて、いずれかの回線ＡMに地絡故障が発生したこと、および正極側電路ＳPあるいは負極側電路ＳNのどちらの電路で地絡故障が発生したかを認知した上で、複数の回線ＡMの正極側電路ＳPあるいは負極側電路ＳNに電圧変動手段である判別装置４を順次接続していくことにより、地絡故障が発生した回線ＡMを特定する。
【００３２】
この判別装置４は、図２に示すようにアノード側端子５とカソード側端子６間に複数のダイオードＤ1〜Ｄ8を直列接続した構成を主要部とし、このダイオードＤ1〜Ｄ8でもって電圧変動手段を構成している。ダイオードＤ1〜Ｄ8の接続個数（図示では８個）は、地絡故障回線を判別する上で必要な電圧降下分に応じて設定される。その電圧降下分は、大きく設定すると、他の構成部品への悪影響があるため、必要最小限度の電圧降下分とすればよい。
【００３３】
なお、他の電圧変動手段としては、正極側電路または負極側電路の電圧を降下させる抵抗も可能である。但し、抵抗の場合、電圧降下分が負荷によって変動することから、その抵抗値は、負荷に応じて設定する必要がある。この点で、負荷にかかわらず、一定の電圧降下を容易に実現できるダイオードが有効である。さらに、他の電圧変動手段としては、電圧を降下させる以外に、電圧を上昇させる手段として、順方向接続の電源を使用することも可能である。
【００３４】
他の回路構成としては、アノード側端子５とカソード側端子６間に接続された保護用ダイオードＤ9、第一スイッチＳＷ1および第二スイッチＳＷ2、この第二スイッチＳＷ2と反対側極性端子７間に接続された抵抗Ｒ1がある。
【００３５】
保護用ダイオードＤ9は、電圧降下用ダイオードＤ1〜Ｄ8に対して逆方向に接続されている。ダイオードＤ1〜Ｄ8に並列に接続されたスイッチング手段である第一スイッチＳＷ1は、この判別装置４を回線ＡMに接続する前後で切り替えられる「有」「無」の二つの接点を有する。第二スイッチＳＷ2は、この判別装置４を正極側電路ＳPあるいは負極側電路ＳNのいずれに接続するかで切り替えられる「アノード側」「カソード側」の二つの接点を有する。抵抗Ｒ1は、回線ＡMに負荷ＬMが接続されていない場合であっても、前述の電圧降下用ダイオードＤ1〜Ｄ8に電流を流すことにより電圧降下させて地絡故障を検出可能とするものである。
【００３６】
以上の回路構成からなる判別装置４の使用方法は、次のとおりである。
【００３７】
まず、複数の回線ＡMにおいて、地絡故障が発生していない正常な状態であれば、正極側の対地間電圧ＶPEと負極側の対地間電圧ＶNEがほぼ等しい（図６参照）ことから、継電器３のブザーまたはランプによる警告が発せられることはない。
【００３８】
そして、いずれかの回線ＡMに地絡故障が発生すれば、正極側の対地間電圧ＶPEと負極側の対地間電圧ＶNEのバランスが崩れる。つまり、地絡故障が正極側電路ＳPであれば、正極側の対地間電圧ＶPEが小さくなり、負極側の対地間電圧ＶNEが大きくなる（図７参照）。また、地絡故障が負極側電路ＳNであれば、負極側の対地間電圧ＶNEが小さくなり、正極側の対地間電圧ＶPEが大きくなる（図８参照）。
【００３９】
この正極側の対地間電圧ＶPEあるいは負極側の対地間電圧ＶNEの変化を継電器３で検出し、その正極側の対地間電圧ＶPEあるいは負極側の対地間電圧ＶNEの変化に基づいて、いずれかの回線ＡMに地絡故障が発生したこと、および正極側電路ＳPあるいは負極側電路ＳNのどちらの電路で地絡故障が発生したかを継電器３により認知した上で、複数の回線ＡMの正極側電路ＳPMあるいは負極側電路ＳNMに判別装置４を順次接続していく。
【００４０】
まず、判別装置４を正極側電路ＳPMあるいは負極側電路ＳNMに接続するに先だって、判別装置４における第一スイッチＳＷ1の接点を「無」とし、この判別装置４による電圧降下前の状態に設定する。そして、地絡故障ａが正極側電路ＳPMであれば、図３に示すようにその判別装置４を回線ＡMの正極側電路ＳPMに接続し、地絡故障ａが負極側電路ＳNMであれば、図４に示すようにその判別装置４を回線ＡMの負極側電路ＳNMに接続する。
【００４１】
図３はいずれかの正極側電路ＳPMに地絡故障ａが発生した場合の判別装置４の接続状態を示す。
【００４２】
判別装置４の第二スイッチＳＷ2の接点を「カソード側」接点と接続し（図２参照）、さらに、アノード側端子５を開閉器ＣＢMの正極電源側に接続すると共にカソード側端子６を開閉器ＣＢMの正極負荷側に接続し、開閉器ＣＢMの負極電源側と負極負荷側をバイパス接続すると共に反対側極性端子７に接続する。この判別装置４の接続を完了した後は、開閉器ＣＢMを遮断状態すなわちオフにしている。
【００４３】
図４はいずれかの負極側電路ＳNMに地絡故障ａが発生した場合の判別装置４の接続状態を示す。
【００４４】
この場合には、判別装置４の第二スイッチＳＷ2の接点を「アノード側」接点に接続し（図２参照）、さらに、アノード側端子５を開閉器ＣＢMの負極負荷側に接続すると共にカソード側端子６を開閉器ＣＢMの負極電源側に接続し、開閉器ＣＢMの正極電源側と正極負荷側をバイパス接続すると共に反対側極性端子７に接続する。この判別装置４の接続を完了した後は、開閉器ＣＢMを遮断状態すなわちオフにしている。
【００４５】
なお、前述では、回線ＡMに設けられた開閉器ＣＢMの両端に割り込んだ形態で判別装置４を正極側電路ＳPMあるいは負極側電路ＳNMに接続した場合について説明したが、開閉器ＣＢMを利用した接続形態以外に、電源端子台（図示せず）を正極側電路ＳPMあるいは負極側電路ＳNMに割り込ませた形態で判別装置４を回線ＡMに接続することも可能である。
【００４６】
以上のようにして、判別装置４を正極側電路ＳPMあるいは負極側電路ＳNMに接続した上で、判別装置４における第一スイッチＳＷ1の接点を「有」に切り替える。この切り替えにより、正極側電路ＳPMあるいは負極側電路ＳNMをダイオードＤ1〜Ｄ8により電圧降下させる。このように正極側電路ＳPMあるいは負極側電路ＳNMに電圧降下用のダイオードＤ1〜Ｄ8を介挿することにより、そのダイオードＤ1〜Ｄ8が、逆方向に接続された定電圧源となることから、正極側の対地間電圧ＶPEあるいは負極側の対地間電圧ＶNEが後述のように変化することにより、その変化を電圧計８（図１参照）により測定することで、いずれの正極側電路ＳPMあるいは負極側電路ＳNMで地絡故障ａが発生したかを特定することができる。
【００４７】
すなわち、地絡故障ａが正極側電路ＳPMの場合、判別装置４の動作前において、正極側の対地間電圧ＶPEが小さく、負極側の対地間電圧ＶNEが大きかった状態から、判別装置４による電圧降下でもって、正極側の対地間電圧ＶPEが大きくなり、負極側の対地間電圧ＶNEが小さくなるように変化する。この変化を、主回路２の正極側対地間に接続された電圧計８（図１参照）により測定すれば、その正極側電路ＶPEに地絡故障ａが発生していることを判定することができる。
【００４８】
また、逆に、地絡故障ａが負極側電路ＳNMの場合、判別装置４の動作前において、負極側の対地間電圧ＶNEが小さく、正極側の対地間電圧ＶPEが大きかった状態から、判別装置４による電圧降下でもって、負極側の対地間電圧ＶNEが大きくなり、正極側の対地間電圧ＶPEが小さくなるように変化する。この変化を、主回路２の負極側対地間に接続された電圧計８（図１参照）により測定すれば、その負極側電路ＳNMに地絡故障ａが発生していることを判定することができる。
【００４９】
このように、地絡故障が発生した回線では、地絡極側の電路ＳPM（ＳNM）について、ダイオードＤ1〜Ｄ8による電圧降下でもって、地絡極側の対地間電圧ＶPE（ＶNE）が大きくなり、健全極側の対地間電圧ＶNE（ＶPE）が小さくなって、地絡極側と健全極側の両対地間電圧ＶPE，ＶNEが、正常時の対地間電圧ＶPE，ＶNEに近づくことになる。
【００５０】
一方、地絡故障が発生していない健全な回線については、地絡極側または健全極側のいずれの対地間電圧ＶPE（ＶNE）も前述したような変化が生じない。従って、判別装置４による電圧降下に基づいて、地絡極側あるいは健全極側の対地間電圧ＶPE（ＶNE）を電圧計８で監視することにより、地絡故障が発生した回線ＡMを特定することができる。
【図面の簡単な説明】
【００５１】
【図１】本発明の実施形態で、直流制御電源回路に直流地絡回線の判別装置を接続した状態を示す回路図である。
【図２】図１に示す直流地絡回線の判別装置の回路構成例を示す回路図である。
【図３】正極側電路に地絡故障が発生した場合の判別装置の接続例を示す説明図である。
【図４】負極側電路に地絡故障が発生した場合の判別装置の接続例を示す説明図である。
【図５】主回路から分岐した複数の回線を備えた直流制御電源回路を示す回路図である。
【図６】正極側電路および負極側電路が正常な場合の正極側および負極側の対地間電圧を説明するための回路図である。
【図７】正極側電路に地絡故障が発生した場合の正極側および負極側の対地間電圧を説明するための回路図である。
【図８】負極側電路に地絡故障が発生した場合の正極側および負極側の対地間電圧を説明するための回路図である。
【符号の説明】
【００５２】
１  直流電源
２  主回路
３  継電器
４  判別装置
ＡM  回線
Ｄ1〜Ｄ8  電圧降下手段（ダイオード）
ＳP，ＳPM  正極側電路
ＳN，ＳNM  負極側電路
【図１】
2006060893.tif 000003
【図２】
2006060893.tif 000004
【図３】
2006060893.tif 000005
【図４】
2006060893.tif 000006
【図５】
2006060893.tif 000007
【図６】
2006060893.tif 000008
【図７】
2006060893.tif 000009
【図８】
2006060893.tif 000010